(57)【要約】【課題】  洋式トイレ便座横の介助手すりに取り付けて、排便時の力み補助と共に便座前方への落下防止を行い、あわせてトイレ使用者の身体状況を監視すること。【解決手段】  本発明に係る排便介助装置においては、トイレ便座１の側面に設置されている介助手すり３に取り付けて、使用者の前方任意の位置に介助アームＡ−４を固定でき、該アームにつかまることにより排便姿勢を保つと共に下腹部に力を入れる助けにし、かつ便座前方への落下防止の役目を果たし、上記介助アームに血圧計測等のセンサを取り付けることによりトイレ使用者の身体状況を監視する。【選択図】  図６
2015167665.tif 000002
【特許請求の範囲】
【請求項１】
洋式便座を用いるトイレの介助手すりに取り付けられ得る排便介助装置において、介助手すりに固定可能であり、水平位置が可変かつ任意の位置で固定可能なる介助アーム機構を有し、
該介助アームはトイレ床面に略水平に取り付けられており、略水平に回転可能かつ任意の位置で固定可能であり、該介助アームには使用者の身体状況を測定するセンサが設けられていることを特徴とする排便介助・監視装置。
【請求項２】
上記センサとして、血圧測定、脈拍測定、体温測定、気温測定、個人識別のうち少なくとも１つの機能を有することを特徴とする請求項１記載の排便介助・監視装置。
【請求項３】
上記センサからの測定情報及び／もしくは関連情報を表示することができる表示部を更に有することを特徴とする請求項１または２に記載の排便介助・監視装置。
【請求項４】
上記個人識別情報に基づき、各センサ情報を個人ごとに記憶する記憶部を更に備えることを特徴とする請求項１乃至３のうちいずれか１項に記載の排便介助・監視装置。
【請求項５】
上記各センサからの情報を所定の基準値との比較あるいは個人の情報履歴から判断して警告表示する警告表示部を更に有することを特徴とする請求項１乃至４のうちいずれか１項に記載の排便介助・監視装置。
【発明の詳細な説明】
【技術分野】
【０００１】
本発明は、高齢者等に多い便秘時に、洋式便座（以後「便座」と省略）を用いるトイレ（以後単純に「トイレ」と省略）の壁面に取り付けられた介助手すりを利用して設置する便秘時排便介助を行うと共に使用者の身体状況を監視する装置に関するものである。
【背景技術】
【０００２】
現在、足腰の不自由な方や高齢者のために、介護施設のトイレはもちろん、一般の公衆トイレにも「誰でもトイレ」と称するトイレが設置され、車椅子でも入出できるよう広いスペースを設け、便座横に着座、立ち上がりの援助のために便座横の壁面に介助手すりが付けられている。
【０００３】
上記のように便座への着座、立ち上がりのための介助装置は色々考えられているが、排便を促進するための介助装置はほとんど見られない。特に、運動機会が少ない高齢者等は便秘症になることが多く、便秘症解消のための排便介助をするための装置が求められている。
【０００４】
便秘時は下腹に力を入れるため、前かがみの姿勢になることが多く、勢いあまって便座から前方に転がり落ちる事故が起きている。上述のように、前かがみの姿勢によって便座から転落しないような介助装置、さらには下腹に力を入れるために掴まったり、下腹部を押さえるような便秘症解消のための排便介助装置は現在実現されていない。
【０００５】
一方、便秘時には下腹に力を入れて力むため、血圧が急に上昇したり脈拍が高くなったりすることにより各種の身体障害を引き起こすことがあり、特に排便時の身体状況を監視することが極めて重要である。
【０００６】
更に、排便時の身体状況を監視して本人に知らせ、力みを弱める様注意喚起ことも重要であるが、血圧の急激な上昇のため意識を失った場合のように緊急事態が発生した場合等に、トイレ外部の介助機関や介助人等に状況情報を知らせる機能を有することも必要である。
【０００７】
上記のようなトイレ外部への情報伝達機能を有する排便介助装置を複数人数が使用するトイレに設置する場合においては、現在トイレを使用している使用者が誰なのかを識別認識することも必要となる。
【０００８】
特許文献１は、トイレの便座への着座、立ち上がりを介助するために、便座左右につかまり用の手すりを設置するものであるが、便座前方への落下防止や下腹に力を入れる援助にはほとんど役立たない。
【０００９】
特許文献２は、トイレ内に置く移動可能の小テーブルに関する発明であり、便座前方への落下防止や下腹に力を入れる援助には役立つかと思われる。しかし、小テーブルとは言え、狭いトイレ内では邪魔になる場合があり、便座への着座、立ち上がりに支障をきたす場合も想定される。また、便秘排便時の身体状況監視機能は含まれていない。
【先行技術文献】
【特許文献】
【００１０】
【特許文献１】特開２００３−１９０８９号公報
【特許文献２】特開２００７−２９５号公報
【特許文献３】特願２０１２−１４９８５２号
【発明の概要】
【発明が解決しようとする課題】
【００１１】
前述のように、便秘症の使用者が排便時に前かがみの姿勢になって力んでも、トイレ便座から転落しないよう、かつ下腹に力を入れやすくするとともに、力んだ時の血圧上昇や脈拍上昇等の身体データを監視して脳溢血や心筋梗塞等の身体異常を引き起こさないよう監視し、使用者に知らせると共に使用者の身体状況をトイレ外部に知らせることが課題である。
【００１２】
さらに、使用者がかなり力を入れて該介助装置にすがるため、介助装置の機械的強度を高めることも課題である。
【００１３】
また、一般的にトイレ空間は狭いため、該介助装置は小型で、便秘症ではない使用者の通常排便時に邪魔にならない工夫も課題である。
【課題を解決するための手段】
【００１４】
上記のような課題のうち、便座からの転落防止、下腹に力を入れやすくする課題は特許文献３によって解決することが可能である。従って、特許文献３の発明に使用者の身体データ監視機能を付加することによって監視課題を解決することが可能である。
【００１５】
本発明に係る排便介助装置は、垂直支柱部、手すり固定部、介助アーム固定部、アームに取り付けられた各種センサより構成され、トイレ床面にて該垂直支柱底部を支え、該支柱上部をトイレ便座の側方に設置された介助手すり水平部に垂直支柱部を固定し、該支柱と介助手すり水平部を固定する該手すり固定部は介助手すり水平部に沿って水平位置が可変可能かつ任意の位置で固定可能なる機構を有する。該垂直支柱部には、支柱軸を中心として水平に回転可能かつ任意の位置で固定可能なる介助アーム固定部が垂直支柱部の垂直支柱に沿って移動可能かつ任意の位置で固定可能なる如く取り付けられており、該介助アーム固定部には使用者が掴まるための介助アームがトイレ床面に水平に取り付けられており、該介助アームには、使用者の身体状態を監視するためのセンサが設けられていることを特徴とする。
【００１６】
該センサとしては血圧、脈拍、体温、気温（室内温度）、個人識別測定等を行う。
【００１７】
上記センサからの情報を表示する表示部を設け、使用者に身体状況を知らしめ、必要に応じて警告を行う。
【００１８】
上記個人識別測定情報に基づき、各センサ情報を個人ごとに記憶することができるため、多人数を収容する介護施設等でも本発明を使用することができる。
【００１９】
さらに、上記各センサからの情報を所定の基準値と比較、あるいは各個人の情報履歴から判断して注意表示を行う。
【発明の効果】
【００２０】
以上、説明したように、本発明に係る排便介助装置を用いることにより、便秘症の使用者の排便時のつかまり援助や腹部押しつけ援助をすると共に、力んだ時の前方落下事故を防止することができることに加えて、介助アームに取り付けられたセンサにより使用者の血圧や脈拍等の身体情報を観測して、力み過ぎによる急激な血圧上昇や脈拍上昇を使用者に注意警告して力みを控えて危険を防止する一方、離れた介護観測者に伝送することが可能となる。
【００２１】
また、同じトイレを利用する健常者には、血圧や脈拍等の身体情報を知らせることにより健康管理に役立てることができる。
【００２２】
さらに、介助アームに指紋検出センサ、個人番号入力装置、画像認識装置等の個人認識センサを取り付けることにより使用者各個人の身体状況データを収集することができ、各個人の長期にわたる健康状況推移データを記録することができ、より詳細な健康管理をすることが可能となる。
【００２３】
例えば、独居老人のトイレに本発明を装備し、上記身体状況情報を遠隔地の家族や介護施設に伝送すれば独居老人の健康状態や安否を確認することができる。
【図面の簡単な説明】
【００２４】
【図１】本発明の一実施形態に係る排便介助装置の一実施例の側面を示す概略図である。
【図２】本発明の一実施形態に係る排便介助装置の一実施例の正面を示す概略図である。
【図３】本発明の一実施形態に係る排便介助装置の一実施例の平面を示す概略図である。
【図４】本発明の一実施形態に係る排便介助装置の手すり固定部の構造の一実施例を示す概略図である。
【図５】本発明の一実施形態に係る排便介助装置の介助アーム固定部の構造の一実施例を示す概略図である。
【図６】本発明の一実施形態に係る排便介助装置の使用状態を示す概略図である。
【図７】本発明の一実施形態に係る排便介助装置の情報表示の一例である。
【図８】本発明の一実施形態に係る排便介助装置の情報処理ブロックダイヤグラムである。
【発明を実施するための形態】
【００２５】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２６】
図１は、本発明の一実施形態に係る排便介助装置Ａを設置した場合の便座１横方向からの概略図（側面図）である。便座１はトイレ底面２の上に設けられており、便座１の側壁には介助用手すり３が取り付けられており、手すり３は、通常垂直部分３−１と水平部分３−２とを備えて構成されている。（図1は側面図のため、センサ部Ａ−７の表示は省略。）
【００２７】
本発明の排便介助装置Ａは垂直支柱部Ａ−１と、手すり３への手すり固定部Ａ−２と介助アーム固定部Ａ−３とを備えて構成されている。垂直支柱部Ａ−１は、底部をトイレ床面２に接し、上部は手すり固定部Ａ−２によって手すり３の水平部３−２に固定されている。介助アーム固定部Ａ−３は、センサ情報処理部Ａ−５を内蔵し、垂直支柱部Ａ−１の支柱軸Ａ−１ａを中心としてトイレ床面２に略水平に回転可能かつ任意の位置で固定可能なる構造となっている。
【００２８】
垂直支柱部Ａ−１には介助アーム固定部Ａ−３が取り付けられており、介助アーム固定部Ａ−３には介助アームＡ−４がトイレ床面２と略平行に取り付けられている。図１中の一点鎖線で表示した介助アームＡ−４ａは、後述するセンサ部Ａ−７を取り付けた介助アームＡ−４を便座１に着・離座する場合の邪魔にならないようトイレ壁面４に略平行に畳んだ状態を示している。センサ情報処理部Ａ−５からの情報は情報表示部Ａ−６に表示される。図１においては情報表示部Ａ−６をトイレ壁面に設置した例を示しているが、表示部Ａ−６を小型にして介助アームＡ−４に取り付けたり、介助アーム固定部Ａ−３に取り付けてもよい。
【００２９】
図２は、本発明の一実施形態に係る排便介助装置Ａを設置した場合の便座１前方からの概略図（正面図）である。センサ部Ａ−７は、介助アームＡ―４に取り付けられており、指握りの形状をしており、指先を触れることにより血圧や体温、脈拍を計測することができる。（オキシメータ：ＭＥＤＩＣＡ２０１２発表）もちろん通常の指先挿入あるいは手首挿入型の血圧センサを装備しても良い。
【００３０】
また、センサ部Ａ−７には指紋センサやＲＦ−ＩＤ読み取り機のような個人識別センサ８５
も含まれ、個人を識別することができる。更に図面には図示していないが、指紋センサの代わりに介助アームＡ−４中にＲＦ−ＩＤ読み取り機を装備し、使用者が個人識別ＲＦ−ＩＤカードＡ−１０（図６に表示）をかざしたり、使用者の手首に付けたＲＦ−ＩＤタグＡ−１１（図６に表示）を読み取ることにより個人を識別することができる。該個人識別センサの他にも表示切り替えスイッチや湿度センサ等を取り付けることが可能であるが、図６では一括してその他センサ８９として図示している。また、センサ部Ａ−７への電源とセンサからの各情報は介助アームＡ―４を通して介助アーム固定部Ａ−３内のセンサ情報処理部Ａ−５と接続される。
【００３１】
更に、センサ情報処理部Ａ−５への電源やセンサ情報処理部Ａ−５からの情報を有線でトイレ外部に伝送する場合は、垂直支柱部Ａ−１を通してケーブルＡ−９でトイレ外部へ接続される。
【００３２】
もちろん、センサ情報処理部Ａ−５からの情報伝送を有線で行わずに特定小電力無線やＷｉ−Ｆｉを用いて伝送したり、センサ部Ａ−７やセンサ情報処理部Ａ−５の電源を内蔵電池とすれば外部配線の必要が無く、本発明の設置がより簡単になる。
【００３３】
図３は、本発明の一実施形態に係る排便介助装置Ａを設置した場合の便座１上方からの概略図（平面図）である。図１と同じく一点鎖線の介助アームＡ−４ａは介助アームＡ−４をトイレ壁面４に略平行に畳んだ状態を示している。
【００３４】
図４は、本発明の一実施形態に係る排便介助装置Ａの手すり固定部Ａ−２の一態様を示した図である。手すり固定部Ａ−２は、垂直支柱部Ａ−１の支柱直径より若干大きな径を有する貫通孔Ａ−２ａによって垂直支柱部Ａ−１の上方に支柱に対して摺動可能な状態で取り付けられている。
【００３５】
また、手すり固定部Ａ−２には手すり３の直径より若干大きな切り欠きＡ−２ｂが穿設されており、切り欠き部分Ａ−２ｂを手すり３の水平部分３−２に対して略水平方向に摺動可能な状態で取り付けられている。
【００３６】
さらに、手すり固定部Ａ−２には切り欠き部分Ａ−２ｂに貫通する貫通ねじ穴Ａ−２ｃが設けられており、貫通ねじ穴Ａ−２ｃに適合する蝶ねじＡ−２ｄを絞めこむことによって手すり固定部Ａ−２と手すり３の水平部３−２とを任意の位置に固定することができる。
【００３７】
図５は、本発明の一実施形態に係る排便介助装置Ａの介助アーム固定部Ａ−３の一態様を示した図である。介助アーム固定部Ａ−３は、垂直支柱部Ａ−１の支柱直径より若干大きな径を有する貫通孔Ａ−３ａによって垂直支柱部Ａ−１の手すり固定部Ａ−２の下部に、垂直支柱部Ａ−１の支柱に対して摺動可能な状態で取り付けられている。
【００３８】
また、介助アーム固定部Ａ−３には貫通孔Ａ−３ａに略水平に貫通する貫通ねじ穴Ａ−３ｂが設けられており、貫通ねじ穴Ａ−３ｂに適合する蝶ねじＡ−３ｃを絞めこむことにより介助アーム固定部Ａ−３を垂直支柱部Ａ−１の任意の位置に固定することができる。
【００３９】
介助アーム固定部Ａ−３は、蝶ねじＡ−３ｃを緩めることにより垂直支柱部Ａ−１の支柱軸Ａ−１ａを中心に回転可能で、任意の回転角度で蝶ねじＡ―３ｃを絞めこむことにより固定することができる。
【００４０】
以上の説明及び図６の本発明の一実施形態に係る排便介助装置Ａの使用状態概略図から把握される通り、使用者の身長や座高、姿勢の違いに合わせて、使用者前方の最適位置に介助アームＡ−４の位置を固定することができる。
【００４１】
使用者は、介助アームＡ−４をしっかり握ることにより容易に下腹部に力を入れることができ、排便をし易くすることができる。また、介助アームＡ−４が前方にあるため、使用者が前かがみになっても前方に転げ落ちることを防止でき、更には介助アームＡ−４を使用者の下腹に押し付ける位置に設定すればさらに排便を促す効果が増加する。
【００４２】
上記の説明においては、手すり固定部Ａ−２の固定と介助アーム固定部Ａ−３の固定に各々蝶ねじを用いている例を示したが、非特許文献１に示す各種クランパーを用いて固定することも可能である。もちろん上記のクランパー以外にもいろいろな固定方法が考えられるが、すべて本発明の技術思想に含まれる。
【００４３】
図６においては、使用者の身体状況情報の表示を便座側面の壁に取り付けているが、便座正面の使用者に見やすい位置に設置することが望ましい。表示情報例としては、図７（ａ）の如く最高血圧、最低血圧、脈拍、体温、室内温度、使用者に対する注意喚起等があるが、その他必要な情報や表示形態を変更することは本発明の発明思想に含まれるものである。
【００４４】
更に、使用者個人の特定機能により、個人ごとの情報を蓄積しておき、介助アームA−４に表示切替スイッチを設け、使用者の身体状況情報履歴を表示することも可能である。
【００４５】
図７（ａ）、（ｂ）は、トイレ使用者の身体状況情報表示の一例を示している。図７（ａ）は使用者の血圧や脈拍、体温、室内温度を表示するとともに血圧や脈拍に異常が見られるときは注意表示が表示される。なお、注意表示に合わせて音声警告を行う等は通常技術の応用であり、本発明の発明思想に含まれるものである。
【００４６】
図７（ｂ）は現在使用中の使用者個人の例えば血圧の測定履歴が表示され、過去の履歴から現在の身体状況の比較をすることができる。
【００４７】
上記で説明した各種センサからの情報を処理して、表示や情報伝送を行う情報処理部Ａ−５の動作を図８のブロックダイヤグラムにて説明する。介助アームＡ−７には指紋センサやＲＦ―ＩＤ読み取り機のような個人識別センサ８５、血圧・脈拍センサ８６、体温センサ８７、気温センサ８８、その他センサ８９、電源スイッチ（図示せず）、表示切替スイッチ（図示せず）等が組み込まれている。
【００４８】
上記介助アームＡ−７の各センサからの測定情報信号やスイッチの状態信号は、介助アーム固定部Ａ−３内のセンサ情報処理部Ａ−５中のＣＰＵ８１に入力される。ＣＰＵ８１は各センサ情報を特定個人ごとにメモリ８２に記憶する一方、排便介助装置Ａの外部に設けられた情報表示器Ａ−６に表示する。
【００４９】
トイレを複数の使用者で使用する場合、使用者ごとに正常血圧値や脈拍値にはばらつきがあり、血圧値や脈拍値の数値から異常状態を検出するばかりでなく、上記特定個人ごとにメモリ８２に蓄えられた情報履歴から身体状態を判断することも出来る。
【００５０】
一般に気温によって血圧値は変動するため測定時の気温も考慮して身体状況を判断する必要がある。よって、ＣＰＵ８１は、例えば血圧測定情報を一定の基準値を超えた場合あるいは特定個人の履歴の推移から判断される推定値以上と判断される場合に、情報表示器Ａ−６に注意警告情報を表示する。
【００５１】
また、上記各センサからの身体状況情報および表示情報は、ＣＰＵ８１から情報伝送部８３を介して有線或いは無線にて外部へ送ることが出来る。
【００５２】
図１乃至図６においては垂直支柱部Ａ−１、介助アームＡ−４を円柱パイプ構造として図示したが、多角柱構造とする等の例も考えられる。これらもすべて本発明の技術思想に含まれるものである。さらに、介助アームＡ−４を掴んだときに滑らないよう滑り止めを取り付ける等の追加・変更形態も本発明の発明思想に含まれるものである。
【産業上の利用可能性】
【００５３】
上述してきたように、本願による発明によれば、便秘時の排便介助として大変有用なものであり、特に高齢者介護施設のトイレには排便介助ばかりでなくトイレ前方落下防止としても必要不可欠の装置である。
【００５４】
さらに、介助アームに取り付けられた各種センサによって使用者の身体状況を把握することができ、排便時の力みによる過度の血圧、脈拍上昇等を注意警告することができる。
【００５５】
また、使用者ごとの身体状況履歴がわかることにより、排便介助ばかりでなく健常者の健康管理にも大いに役立てることができる。
【００５６】
上記の身体状況表示や注意警告、身体状況履歴の情報はトイレ外部に伝送することができ、遠隔地の介助施設や使用者家族に健康状態を知らせることができ、独居老人の安否確認にも活用することができる。
【００５７】
従って本発明は、介助、住宅、病院を取り巻く各産業で大いなる利用可能性を有している。
【符号の説明】
【００５８】
１…便器、２…トイレ床面、３…手すり、３−１…手すり垂直部、３−２…手すり水平部、４…トイレ壁面、８１…ＣＰＵ、８２…メモリ、８４…情報伝送部、８５…個人識別センサ、８６…血圧・脈拍センサ、８７…体温センサ、８８…気温センサ、８９…その他センサ、Ａ…排便介助装置、Ａ−１…垂直支柱部、Ａ−１ａ…垂直支柱部支柱軸、Ａ−２…手すり固定部、Ａ−２ａ…貫通孔、Ａ−２ｂ…切り欠き、Ａ−２ｃ…貫通ねじ穴、Ａ−２ｄ…蝶ねじ、Ａ−３…介助アーム固定部、Ａ−３ａ…貫通孔、Ａ−３ｂ…貫通ねじ穴、Ａ−３ｃ…蝶ねじ、Ａ−４…介助アーム、Ａ−４ａ…介助アーム回転時、Ａ−５…情報処理部、Ａ−６…情報表示部、Ａ−７…センサ部、Ａ−９…ケーブル、Ａ−１０…ＲＦ−ＩＤカード、Ａ−１１…ＲＦ−ＩＤタグ
【図１】
2015167665.tif 000003
【図２】
2015167665.tif 000004
【図３】
2015167665.tif 000005
【図４】
2015167665.tif 000006
【図５】
2015167665.tif 000007
【図６】
2015167665.tif 000008
【図７】
2015167665.tif 000009
【図８】
2015167665.tif 000010